(57)【要約】【課題】家具等の転倒防止装置の長さ調節軸が外部から見えないようにすると共に、前記長さ調節軸の強度を補完する手段を設けて、外観上見栄えがよく、また、振動に対しても十分な強度を備える家具等の転倒防止装置を提供することを目的とする。【解決手段】支柱部２と該支柱部２の長手方向両端部に配置する当接部材８，９とを備え、前記当接部材８，９の略中央部に前記支柱部２に向けて長さ調節軸１３，１４を突設し、前記支柱部２の両端に前記長さ調節軸１３，１４を進退自在に受け入れる嵌入孔１０ｃ，１１ｃを設け、前記長さ調節軸１３，１４を前記嵌入孔１０ｃ，１１ｃに進退させることにより全長を伸縮させる家具等の転倒防止具であって、前記当接部材８，９は、前記長さ調節軸１３，１４を外部から目視不能とする遮蔽壁１０ｂ，１１ｂを一体的に形成すると共に、該遮蔽壁１０ｂ，１１ｂの内径を前記支柱部２の外径と略同寸に形成して前記支柱部２を進退自在に支持するように構成した。【選択図】    図９
0003111140.tif 000002
【実用新案登録請求の範囲】
【請求項１】
支柱部と該支柱部の長手方向両端部に配置する当接部材とを備え、
前記当接部材の略中央部に前記支柱部に向けて長さ調節軸を突設し、
前記支柱部の両端に前記長さ調節軸を進退自在に受け入れる嵌入孔を設け、前記長さ調節軸を前記嵌入孔に進退させることにより全長を伸縮させる家具等の転倒防止装置であって、
前記当接部材は、前記長さ調節軸を外部から目視不能とする遮蔽壁を一体的に形成すると共に、該遮蔽壁の内径を前記支柱部の外径と略同寸に形成して前記支柱部を進退自在に支持してなることを特徴とする家具等の転倒防止装置。
【請求項２】
前記長さ調節軸は雄ねじで構成されると共に、前記嵌入孔は前記雄ねじが螺入可能な雌ねじ孔付き部材で構成されてなることを特徴とする請求項１に記載の家具等の転倒防止装置。
【請求項３】
前記嵌入孔は、前記支柱部の径方向の三方に微調整可能に設けられてなることを特徴とする請求項１又は２に記載の家具等の転倒防止装置。
【考案の詳細な説明】
【技術分野】
【０００１】
本考案は、地震が生じたときに発生する振動によって、箪笥、食器棚、本棚、キャビネット等の家具（以下、「家具等」という。）が転倒するのを防止するための家具等の転倒防止装置に関する。
【背景技術】
【０００２】
従来、地震が生じたときに発生する振動によって家具等が転倒するのを防止する装置として、例えば、伸縮自在にその長さを調整できるように構成して、家具と天井との間に介在させ、突っ張らせることにより家具を建物に固定する家具等の転倒防止装置は提案されている。
【０００３】
前記家具等の転倒防止装置としては、例えば、特開平８−３０８６６１号公報に記載のものが公知である。この家具等の転倒防止装置は、支柱部の下端および上端の中心にそれぞれ雌ねじ孔付き部材を固着し、前記各雌ねじ孔付き部材に螺合して支柱部の下端および上端から突出するように雄ねじ軸を設け、支柱部１の下端の雄ねじ軸の下端および支柱部の上端の雄ねじ軸の上端にそれぞれ雄ねじ軸に対して傾き自在な当接部材を設けて、地震が生じたときに発生する振動に対して家具類やキャビネットなどを支えるようにしている。
【０００４】
【特許文献１】特開平８−３０８６６１号公報
【考案の開示】
【考案が解決しようとする課題】
【０００５】
しかしながら、前記家具等は、一般家庭で使用されるものにあっては、木製又は木目調のもので高級感のある装飾性に富むものが多い。このため、これらの家具等に使用される転倒防止装置においても、木製又は木目調の家具等に使用しても違和感が生じないものが好まれる。この点において、前記家具等の転倒防止装置は、金属製の前記雄ねじ軸が露出しているため、外観上芳しくない。また、前記家具等の転倒防止装置は、前記雄ねじ軸と前記支柱部の径が著しく相違しており、地震による振動が発生した場合において、前記雄ねじ軸が折曲したり、或いは破断して十分に家具等を支持することができないという不都合を生じ得る。
【０００６】
本考案は、かかる事情に鑑みてなされたものであって、前記雄ねじ軸（長さ調節軸）が外部から見えないようにすると共に、前記雄ねじ軸（長さ調節軸）の強度を補完する手段を設けて、外観上見栄えがよく、また、振動に対しても十分な強度を備える家具等の転倒防止装置を提供することを目的とする。
【０００７】
また、本考案の他の目的は、前記のごとき構成からなる家具等の転倒防止装置において、前記雄ねじ軸（長さ調節軸）を受け入れる嵌入孔の前記支柱部への取付を、径方向に微調整可能に取り付けて、前記雄ねじ軸（長さ調節軸）が前記支柱部の中心よりずれて取り付けられてた場合でも、進退できるように構成された家具等の転倒防止装置を提供することである。
【課題を解決するための手段】
【０００８】
請求項１に記載の家具等の転倒防止装置は、家具等の転倒防止装置であって、支柱部と該支柱部の長手方向両端部に配置する当接部材とを備え、前記当接部材の略中央部に前記支柱部に向けて長さ調節軸を突設し、前記支柱部の両端に前記長さ調節軸を進退自在に受け入れる嵌入孔を設け、前記長さ調節軸を前記嵌入孔に進退させることにより全長を伸縮させる家具等の転倒防止具であって、前記当接部材は、前記長さ調節軸を外部から目視不能とする遮蔽壁を一体的に形成すると共に、該遮蔽壁の内径を前記支柱部の外径と略同寸に形成して前記支柱部を進退自在に支持してなることを特徴とする。
【０００９】
請求項１に記載の家具等の転倒防止装置にあっては、前記当接部材に前記長さ調節軸を外部から目視不能とする遮蔽壁を一体的に形成するので、例えば、前記支柱部と前記当接部材を木製のもので形成して、前記長さ調節軸を金属製の雄ねじ軸で構成した場合は、前記金属製の長さ調節軸が、外部から看取できず外観上見栄えのよいものとなると共に、前記遮蔽壁の内径を前記支柱部の外径と略同寸に形成して前記支柱部を進退自在に支持しているので、横方向の振動が発生した場合において、前記遮蔽壁の内周で前記支柱部の外周を支持するので、前記雄ねじ軸にかかる外力を分散することができ、前記雄ねじ軸の折曲や破断が生じにくくなる。
【００１０】
請求項２に記載の家具等の転倒防止装置は、請求項１に記載の家具等の転倒防止装置において、前記長さ調節軸は雄ねじで構成されると共に、前記嵌入孔は前記雄ねじが螺入可能な雌ねじ孔付き部材で構成されてなることを特徴とする。
【００１１】
請求項２に記載の家具等の転倒防止装置にあっては、前記長さ調節軸は雄ねじで構成されると共に、前記嵌入孔は前記雄ねじが螺入可能な雌ねじ孔付き部材で構成できるので、製造が容易となるとともに、安価に製造することができる。
【００１２】
請求項３に記載の家具等の転倒防止装置は、請求項１又は２に記載の家具等の転倒防止装置において、前記嵌入孔は、前記支柱部の径方向の三方に微調整可能に設けられてなることを特徴とする。
【００１３】
請求項３に記載の家具等の転倒防止装置にあっては、前記長さ調節軸又は前記嵌入孔の心だし（センタリング）が正確に行われず、偏心して設けられた場合であても、前記嵌入孔が前記支柱部の径方向の三方に微調整可能に設けられているので、前記長さ調節軸は前記嵌入孔に進退可能に取り付けることができる。
【考案の効果】
【００１４】
請求項１に記載の考案によれば、家具等の転倒防止装置であって、支柱部と該支柱部の長手方向両端部に配置する当接部材とを備え、前記当接部材の略中央部に前記支柱部に向けて長さ調節軸を突設し、前記支柱部の両端に前記長さ調節軸を進退自在に受け入れる嵌入孔を設け、前記長さ調節軸を前記嵌入孔に進退させることにより全長を伸縮させる家具等の転倒防止具であって、前記当接部材は、前記長さ調節軸を外部から目視不能とする遮蔽壁を一体的に形成すると共に、該遮蔽壁の内径を前記支柱部の外径と略同寸に形成して前記支柱部を進退自在に支持してなるので、例えば、前記支柱部と前記当接部材を木製のもので形成して、前記長さ調節軸を金属製の雄ねじ軸で構成した場合は、前記金属製の長さ調節軸が、外部から看取できず外観上見栄えのよいものとなると共に、地震による横方向の振動が発生した場合において、前記遮蔽壁の内周で前記支柱部の外周を支持するので、前記雄ねじ軸にかかる外力を分散することができ、前記雄ねじ軸の折曲や破断が生じにくくなる。
【００１５】
請求項２に記載の考案によれば、請求項１に記載の家具等の転倒防止装置に加えて、前記長さ調節軸は雄ねじで構成されると共に、前記嵌入孔は前記雄ねじが螺入可能な雌ねじ孔付き部材で構成されているので、製造が容易となるとともに、安価に製造することができる。
【００１６】
請求項３に記載の考案によれば、請求項１又は２に記載の家具等の転倒防止装置に加えて、前記嵌入孔は、前記支柱部の径方向の三方に微調整可能に設けられているので、前記長さ調節軸又は前記嵌入孔の心だし（センタリング）が正確に行われず、偏心して設けられた場合であても、前記嵌入孔が前記支柱部の径方向の三方に微調整可能に設けられているので、前記長さ調節軸は前記嵌入孔に進退可能に取り付けることができる。
【考案を実施するための最良の形態】
【００１７】
以下、本考案を実施するための最良の形態を、図面に基づいて具体的に説明する。
【００１８】
図１は本実施の形態に係る家具等の転倒防止装置を示す斜視図であり、図２は同じく正面縦断面図であり、図３は同じく分解斜視図である。
【００１９】
図１乃至図３において、１は家具等の転倒防止装置（以下「家具転倒防止具」という。）であり、該家具転倒防止具１は、支柱２と、支柱２の下端部に配置された下部当接部材８と、支柱２の上端部に配置された上部当接部材９とを備える。
【００２０】
前記支柱２は、木製の長尺円筒形状の支柱本体３の両端面３ｃ，３ｄの中央から軸心に沿って内側方向に深い有底穴３ａ，３ｂを形成し、前記支柱本体３の両端面３ｃ，３ｄに後述する座付ナット４，５を取り付けて構成されている
【００２１】
図４（ａ）は支柱の下部を示す正面断面図であり、（ｂ）は同じく下部端面図、（ｃ）は座付ナットを示す斜視図である。図５（ａ）は支柱の上部端面図であり、（ｂ）は同じく上部を示す正面断面図、（ｃ）は座付ナットを示す斜視図である。
【００２２】
前記座付ナット４は、図４（ａ）乃至（ｃ）に詳細に示すように、前記有底穴３ａの内径に略合わせた外径を有し、中央に前記長ネジ１３を螺入させるネジ孔４ｂが形成されたナット本体４ａの一端側に略三角形状の座面部４ｃを形成し、該座面部４ｃにビス孔４ｄ・・を三方等間隔に形成している。そして、前記座付ナット４を前記ナット本体４ａを支柱本体３の下部側に形成されている有底穴３ａの入口内に突入して、前記座面部４ｃが前記支柱本体３の下面３ｃに当接した姿勢で、３本のビス６・・を用いて、前記支柱本体３の下端部に取り付けている。
【００２３】
同様に、前記座付ナット５も、図５（ａ）乃至（ｃ）に示すように、前記有底穴３ｂの内径に略合わせた外径を有し、中央に前記長ネジ１４を螺入させるネジ孔５ｂが形成されたナット本体５ａの各一端側に座面部５ｃを形成し、該座面部５ｃにビス孔５ｄ・・を等間隔方向に形成しており、前記座付ナット５を前記ナット本体５ａを前記支柱本体３の下部側に形成されている前記有底穴３ｂの入口内に突入して、前記座面部５ｃを前記支柱本体３の上面３ｄに当接させた姿勢で、３本のビス７・・を用いて、前記支柱本体３の上端部に取り付けている。
【００２４】
図６（ａ）は下部当接部材を示す平面図であり、（ｂ）は同じく正面断面図、（ｃ）は同じく底面図である。図７は下部当接部材を分解状態で示す側面断面図である。
【００２５】
前記下部当接部材８は、木製の角片を切削して形成したものであって、図６（ａ）乃至（ｃ）に示すように、当接部本体１０の下面１０ａを長方形状に形成し、中央部分（遮蔽壁）１０ｂを前後同幅で上方に高く略台形形状となるように形成し、中央部には有底孔１０ａを穿設すると共に該有底孔１０ａ内に長ネジ１３を立設させて構成しており、前記有底穴１０ｃの中心から下方に向けて小径の貫通孔１０ｄが形成され、該貫通孔１０ｄの下端縁には、前記長ネジ１３の頭部１３ａが突入する斜面部１０ｅが形成されており、前記長ネジ１３を該有底穴１０ｃの上端より若干突出させた状態で取り付けている。
【００２６】
前記長ネジ１３の取り付けには座付ナット１５が用いられており、該座付ナット１５は、図６（ａ）乃至（ｃ）及び図７に示すように、前記有底穴１０ｃの上方から、ナット本体１５ａを下方に向けた姿勢で有底穴１０ｃ内に突入し、更に、前記ナット本体１５ａを前記当接部本体１０に形成されている貫通孔１０ｃ内に突入して、座面部１５ｃが前記有底穴１０ｃの底面に当接した状態で、ビス１７を用いて、前記当接部本体１０内に取り付けられる。そして、前記座付ナット１５が取り付けられた前記当接部本体１０の下方から、前記長ネジ１３の頭部１３ａが前記斜面部１０ｅ内に位置するまで、前記長ネジ１３を座付ナット１５に螺装して、前記長ネジ１３を当接部本体１０内に固定している。さらに、前記当接部本体１０の下面１０ａには、薄肉状の保護マット１６を貼着しており、当接する家具等を保護するとともに、前記長ネジ１３の頭部１３ａを隠蔽している。
【００２７】
図８（ａ）は上部当接部材を示す平面図、（ｂ）は同じく正面断面図、（ｃ）は同じく底面図である。
【００２８】
前記上部当接部材９は、図８（ａ）乃至（ｃ）に示すように、前記下部当接部材８と同様に形成されている。すなわち、当接部本体１１の中央部に形成されている有底穴１１ｃ内から有底穴１１ｃの中心に位置を合わせて、長ネジ１４を下方に向けて立設した状態で装着しており、前記長ネジ１４の取り付けには、前記座付ナット４，１５と同様の形状の座付ナット１６が使用されている。図８（ａ）乃至（ｃ）において、１１ａは当接部本体１１の上面、１１ｂは中央部分（遮蔽壁）、１１ｃは有底穴、１１ｄは貫通孔、１１ｅは長ネジ１４の頭部１４ａが突入する斜面を示している。
【００２９】
前記座付ナット１６は、前記下部当接部材８の場合と同様に、前記有底穴１１ｃの上方から、ナット本体１６ａを下方に向けた状態で前記有底穴１１ｃ内に突入して、更に、前記ナット本体１６ａを前記当接部本体１０に形成されている貫通孔１１ｄ内に突入して、座面部１６ｃが有底穴１１ｃの底面に当接した状態で、ビス１８を用いて、 前記当接部本体１１内に取り付けている。そして、前記座付ナット１６を取り付けた前記当接部本体１１の下方から、前記長ネジ１４の頭部１４ａが前記斜面部１０ｅ内に位置するまで、前記長ネジ１４を座付ナット１６内に螺装して、取り付けている。前記当接部本体１１の上面１１ａには、前記下部当接部材８の保護マット１６と同様の厚肉状の保護マット１７が貼着されている。
【００３０】
なお、前記上部当接部材９に取り付けられる長ネジ１４は、前記下部当接部材８に取り付けられる長ネジ１３とは、ネジ溝が逆回りに形成されており、互いに逆ネジとなるように形成している。
【００３１】
以上のように構成した前記支柱２に前記下部当接部材８と前記上部当接部材９とを組付ける場合は、図９の家具転倒防止具を伸長させた状態を示す正面断面図に示すように、前記下部当接部材８及び前記上部当接部材９の各有底穴１０ｃ，１１ｃから突出している前記長ネジ１３，１４の先端部を、前記支柱２の両端部に装着されている前記座付ナット４，５の位置に合わせた状態で、前記支柱２に対して前記下部当接部材８及び前記上部当接部材９を回転させながら、前記支柱２の下端部を前記下部当接部材８の有底穴１０ｃ内に突入させ、前記支柱２の上端部を前記上部当接部材９の有底穴１１ｃ内に突入させる。
【００３２】
このとき、 前記支柱２の両端部への突入量に違いが無いようにするため、図２に示すように、前記支柱２の両端部を、前記有底穴１０ｃ，１１ｃの内底に当接するまで、突入させることが好ましい。
【００３３】
図２に示す前記家具転倒防止１は、全長を最も短縮した状態であり、この状態から、前記下部当接部材８と前記上部当接部材９の回転を阻止させた状態で、図９に示す（ロ）方向に前記支柱２を回転させると、前記長ネジ１３に対して前記長ネジ１４が逆ネジになっているため、前記下部当接部材８と前記上部当接部材９は、互いに離反する方向、すなわち、前記家具転倒防止１が伸長する方向に移動する。
【００３４】
このように伸長移動する状態においても、前記長ネジ１３，１４は、前記中央部分（遮蔽壁）１０ｂ，１１ｂによって、隠蔽されているため、外部から看取できない状態となり、外観上見栄えの良いものとなる。
【００３５】
また、図２及び図９に示すように、前記支柱２の各対応する先端部が、前記長ネジ１３，１４を介して前記下部当接部材８及び前記上部当接部材９に装着された状態においては、前記支柱２の両端部は、前記下部当接部材８と前記上部当接部材９の有底穴１０ｃ，１１ｃ内に突入した状態で支持されているため、横方向の外力が加わった場合でも、前記支柱２の外周は前記有底穴１０ｃ，１１ｃの内周に抱持されているため、横方向の外力は分散され、その結果、前記長ネジ１３，１４は折曲又は破断され難いものとなる。
【００３６】
このように、前記家具転倒防止具１は、前記支柱２の回転操作による伸縮と、前記支柱２の両端部を前記下部当接部材８と前記上部当接部材９の有底穴１０ｃ，１２ｃ内に突入させることによる前記支柱２の支持とが行われるため、使い易く、丈夫な構造を有するものとなる。
【００３７】
ところで、前記家具転倒防止具１の製造過程において、前記有底孔３ａの心だし（センタリング）が正確に行われず、偏心して穿設される場合がある。かかる場合においては、前記支柱部２と前記下部当接部材８又は前記上部当接部材９と螺合できないという不都合を生じる。
【００３８】
この不都合を解消するためには、前記座付ナット４を該当個所に遊びを持たせてビス止めするとよい。
【００３９】
図１０（ａ）は座付ナットを遊びを持たせてビス止めした状態を拡大して示した支柱下部の正面断面図であり、（ｂ）は同じく座付ナットが偏心した状態を示す支柱下部の正面断面図である。
【００４０】
図１０（ａ）に示すように、前記支柱２の下端部に形成されている有底穴３ａの径を前記座付ナット４の径よりも若干大きく形成して、前記座付ナット４の軸部４ａを前記有底穴３ａ内に挿入させたときに、前記座付ナット４の軸部４ａと前記有底穴３ａとの間に間隙Ｓが生じるようにする。そして、前記座付ナット４のビス孔４ｄより径の小さなビス６で、前記前記座付ナット４を前記支柱２の下端部に取り付けるのである。
【００４１】
このように取り付けたときは、前記有底穴３ａが前記支柱部２に対して偏心して穿設されている場合や、前記長ネジ１３が偏心して取り付けられている場合であっても、前記長ネジ１３を前記ネジ孔４ｂに螺入することができるのである。なお、前記支柱部２の上端部に装着されている座付ナット５についても、前記と同様に取り付けて、前記不具合に対応させることができることとなる。
【００４２】
図１１は本考案実施例の家具転倒防止具の使用例を示す正面図、図１２は同じくその要部を拡大して示す側面断面図である。
【００４３】
以上のように構成した前記家具転倒防止具１を配設する際には、図１１に示す高さＨよりも若干、前記家具転倒防止具１の全長を短く長さ調整し、前記下部当接部材８と前記上部当接部材９の向きを前後方向に向けた姿勢で、前記家具転倒防止具１を上部当接部材９を天井面４０に押し付けたまま、前記下部当接部材８を把持して、前記家具転倒防止具１が伸長する方向に支柱２を回転させる。そして、前記下部当接部材８の下面が前記家具３０の天板３０ａの上面に接するまで、前記支柱２を回転させて、前記天井面４０と前記家具３０の天板３０ａ間で突っ張った状態で配置するのである。
【００４４】
以上のように、前記家具転倒防止具１において、前記支柱２と前記下部当接部材８及び前記上部当接部材９との装着は、前記下部当接部材８及び前記上部当接部材９の中央に立設された前記長ネジ１３，１４に前記支柱２を螺装させることにより行われており、前記下部当接部材８及び前記上部当接部材９の中央部分（遮蔽壁）１０ｂ，１１ｂによって、前記長ネジ１３，１４は、隠蔽され、外観上見栄えの良いものとなる。そして、前記下部当接部材８及び上部当接部材９の装着は、前記支柱２の下端部が、前記下部当接部材８の中央に上向けて形成されている前記有底穴１０ａ内に突入し、前記支柱２の上端部が、前記上部当接部材９の下面中央に下向けて形成されている有底穴１１ａ内に突入した範囲内で行われており、このように、前記各有底穴また１０ａ，１１ａ内に前記支柱２の端部を突入させて、前記下部当接部材８及び前記上部当接部材９の装着における補強が図られているのである。
【図面の簡単な説明】
【００４５】
【図１】本考案実施例の家具等の転倒防止装置を示す斜視図である。
【図２】同じく正面断面図である。
【図３】同じく組付け前の状態で示した斜視図である。
【図４】（ａ）は支柱の下部を示す正面断面図、（ｂ）は同じく下部端面図、（ｃ）は座付ナットを示す斜視図である。
【図５】（ａ）は支柱の上部端面図、（ｂ）は同じく上部を示す正面断面図、（ｃ）は座付ナットを示す斜視図である。
【図６】（ａ）は下部当接部材を示す平面図、（ｂ）は同じく正面断面図、（ｃ）は同じく底面図である。
【図７】同じく分解状態で示す側面断面図である。
【図８】（ａ）は上部当接部材を示す平面図、（ｂ）は同じく正面断面図、（ｃ）は同じく底面図である
【図９】本考案実施例の家具転倒防止具を伸長させた状態で示す正面断面図である。
【図１０】（ａ）は座付ナットを緩くビス止めした状態を拡大して示した支柱下部の正面断面図，同（ｂ）図は同じく座付ナットが偏心した位置に装着されている状態を示した図である。
【図１１】本考案実施例の家具転倒防止具の使用例を示す正面図である。
【図１２】同じくその要部を拡大して示す側面断面図である。
【符号の説明】
【００４６】
１    本実施例の家具転倒防止具
２    支柱
３    支柱本体
３ａ  有底穴
３ｂ  有底穴
３ｃ  端面
３ｄ  端面
４    座付ナット
４ａ  ナット本体
４ｂ  ネジ孔
４ｃ  座面部
４ｄ  ビス孔
５    座付ナット
５ａ  ナット本体
５ｂ  ネジ孔
５ｃ  座面部
５ｄ  ビス孔
６    ビス
７    ビス
８    下部当接部材
９    上部当接部材
１０    当接部本体
１０ａ  下面
１０ｂ  中央部分
１０ｃ  有底穴
１０ｄ  貫通孔
１０ｅ  斜面部
１１    当接部本体
１１ａ  上面
１１ｂ  中央部分
１１ｃ  有底穴
１１ｄ  貫通孔
１１ｅ  斜面部
１３    長ネジ
１３ａ  頭部
１４    長ネジ
１４ａ  頭部
１５    座付ナット
１５ａ  ナット本体
１５ｂ  ネジ孔
１５ｃ  座面部
１６    座付ナット
１６ａ  ナット本体部
１６ｂ  ネジ孔
１６ｃ  座面部
１７    ビス
１８    ビス
１９    保護マット
２０    保護マット
３０    家具
３０ａ  天板
４０    天井面
【図１】
0003111140.tif 000003
【図２】
0003111140.tif 000004
【図３】
0003111140.tif 000005
【図４】
0003111140.tif 000006
【図５】
0003111140.tif 000007
【図６】
0003111140.tif 000008
【図７】
0003111140.tif 000009
【図８】
0003111140.tif 000010
【図９】
0003111140.tif 000011
【図１０】
0003111140.tif 000012
【図１１】
0003111140.tif 000013
【図１２】
0003111140.tif 000014